(57)【要約】【課題】短時間で、例えば、新しい種類の記録媒体に対する記録または再生を可能にする。【解決手段】  ディスクカムコーダ１は、ディスクに対する記録または再生を行うためのファームウェアを記憶する。また、ディスクカムコーダ１は、ケース２に付加されたディスクの記録または再生に関する２次元コード２Ａを撮影し、パラメータの情報を取得する。ディスクカムコーダ１は、そのパラメータの情報を記憶する。ディスクカムコーダ１は、記憶されているパラメータの情報のうち、記録対象または再生対象のディスクに対応するパラメータの情報を読み出し、そのパラメータの情報に基づいて、ファームウェアを実行することにより、ディスクに対する記録または再生を行う。本発明は、例えば、ディスクに対する記録または再生を行うビデオカメラに適用することができる。【選択図】図１
2006228333.tif 000002
【特許請求の範囲】
【請求項１】
自分自身の記録または再生に関するパラメータの情報が付加された記録媒体に対する記録または再生を行う情報処理装置において、
前記記録媒体に対する記録または再生を行うための記録再生プログラムを記憶するプログラム記憶手段と、
前記パラメータの情報を取得する取得手段と、
前記取得手段により取得されたパラメータの情報をパラメータ記憶手段に記憶させる記憶制御手段と、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生手段と
を備えることを特徴とする情報処理装置。
【請求項２】
前記パラメータの情報は、前記記録媒体のレーベル面、パッケージ、またはケースに付加される
ことを特徴とする請求項１に記載の情報処理装置。
【請求項３】
自分自身の記録または再生に関するパラメータの情報が付加された記録媒体に対する記録または再生を行うための記録再生プログラムを記憶するプログラム記憶手段を備える情報処理装置の情報処理方法において、
前記パラメータの情報を取得する取得ステップと、
前記取得ステップの処理により取得されたパラメータの情報をパラメータ記憶手段に記憶させる記憶制御ステップと、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生ステップと
を含むことを特徴とする情報処理方法。
【請求項４】
自分自身の記録または再生に関するパラメータの情報が付加された記録媒体に対する記録または再生を行うための記録再生プログラムを記憶するプログラム記憶手段を備える情報処理装置を制御するコンピュータに行わせるプログラムにおいて、
前記パラメータの情報を取得する取得ステップと、
前記取得ステップの処理により取得されたパラメータの情報をパラメータ記憶手段に記憶させる記憶制御ステップと、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生ステップと
を含むことを特徴とするプログラム。
【発明の詳細な説明】
【技術分野】
【０００１】
本発明は、情報処理装置および情報処理方法、並びにプログラムに関し、短時間で、例えば、新しい種類の記録媒体に対する記録または再生を可能にすることができるようにする情報処理装置および情報処理方法、並びにプログラムに関する。
【背景技術】
【０００２】
近年、製造や材料のコストが低価格であるCD-R（Compact Disc Recordable）,CD-RW （Compact Disc ReWritable），MO（Magneto-Optical disk），MD（Mini-Disc），DVD-R（Digital Versatile Disk Recordable）、およびDVD-RW（Digital Versatile Disk ReWritable）などのディスクに対する記録または再生を行うディスク装置が急速に普及している。
【０００３】
例えば、これらのディスクは、耐久性や携帯性に優れているため、これらのディスクを外部記録媒体として用いたパーソナルコンピュータ,VTR(Video Tape Recorder)、デジタルスチルカメラ、カムコーダなどのモバイル機器が普及している。
【０００４】
ディスク装置において、ディスクを安定して供給するために、ディスクの製造ベンダ（製造販売元）により製造および販売されるディスク、特にディスク装置を発売後に製造および販売される新規ディスクに対する記録または再生を可能にすることは重要な課題である。また、ディスクの高機能化（例えば、高倍速や耐久性の向上など）のために、製造ロットごとに物理的特性が変化するディスクに対する記録または再生を可能にすることは重要な課題である。
【０００５】
そこで、新規ディスクに最適なライトストラテジのデータが格納されたファームウェアをアップデートすることにより、新規ディスクに対する記録または再生を可能にするディスク装置がある(例えば、特許文献１参照)。なお、ライトストラテジとは、レーザパルスをEFM（Eight to Fourteen Modulation）パルス長に応じて、時間軸や強度方向を部分的に変化させる際のレーザ出力の最適値を指定するために、ディスクごとに決定されるパラメータ群である。
【０００６】
また、ホストコンピュータを必要とせず、自分自身が電話回線などの通信回線に接続し、その通信回線を介してファームウェアのアップデートを行うコンピュータの周辺機器がある(特許文献２参照)。
【０００７】
さらに、ファームウェアが光学読取可能な形式にコード化された２次元コードを読み取り、ファームウェアのアップデートを行う電子カメラ(特許文献３参照)や、ファームウェアのアップデート用のディスクが挿入された場合、そのディスクに記録されているデータに基づいて、ファームウェアのアップデートを行う光ディスク装置がある（特許文献４参照）。
【０００８】
しかしながら、ファームウェアがアップデートされる場合、ユーザによる更新作業を容易にした場合においても、アップデートには多大な時間を必要とする。また、ファームウェアがアップデートされる場合、アップデート中に何らかのエラーが発生すると、ファームウェアのデータを消失してしまう場合がある。
【０００９】
そこで、特許文献１には、ライトストラテジのデータを管理するホストコンピュータから、ATAPI（AT Attachment Packet Interface），SCSI（Small Computer System Interface），USB（Universal Serial Bus）などのインタフェースを介して新規ディスクのライトストラテジのデータを受信し、そのライトストラテジのデータを用いて新規ディスクに対する記録または再生を可能にする光ディスク装置が記載されている。
【特許文献１】特開２００４−１９２７０７号公報
【特許文献２】特開平１１−２７２６３４号公報
【特許文献３】特開平２００４−１７１４６１号公報
【特許文献４】特開平２００４−１２７３８６号公報
【発明の開示】
【発明が解決しようとする課題】
【００１０】
しかしながら、特許文献１に記載されているライトストラテジのデータを用いて新規ディスクに対する記録または再生を可能にする光ディスク装置では、ホストコンピュータがディスクのライトストラテジのデータを管理するため、光ディスク装置は、ディスクに対する記録または再生を行う際、常にホストコンピュータからライトストラテジのデータを受信する必要があり、ディスクに対する記録または再生を行うまでに多大な時間が必要となる。
【００１１】
また、ユーザは、ホストコンピュータをセットアップする必要があり、面倒である。また、セットアップの時間も必要となる。さらに、光ディスク装置の製造元は、ホストコンピュータからのライトストラテジのデータ転送に伴う接続環境の検証を行う必要がある。      
【００１２】
本発明は、このような状況に鑑みてなされたものであり、短時間で、例えば、新しい種類の記録媒体に対する記録または再生を可能にすることができるようにするものである。
【課題を解決するための手段】
【００１３】
本発明の情報処理装置は、記録媒体に対する記録または再生を行うための記録再生プログラムを記憶するプログラム記憶手段と、パラメータの情報を取得する取得手段と、取得手段により取得されたパラメータの情報をパラメータ記憶手段に記憶させる記憶制御手段と、パラメータ記憶手段に記憶されているパラメータの情報のうち、記録対象または再生対象の記録媒体に対応するパラメータの情報を読み出し、そのパラメータの情報に基づいて、記録再生プログラムを実行することにより、記録媒体に対する記録または再生を行う記録再生手段とを備えることを特徴とする。
【００１４】
このパラメータの情報は、記録媒体のレーベル面、パッケージ、またはケースに付加されるようにすることができる。
【００１５】
本発明の情報処理方法は、パラメータの情報を取得する取得ステップと、取得ステップの処理により取得されたパラメータの情報をパラメータ記憶手段に記憶させる記憶制御ステップと、パラメータ記憶手段に記憶されているパラメータの情報のうち、記録対象または再生対象の記録媒体に対応するパラメータの情報を読み出し、そのパラメータの情報に基づいて、記録再生プログラムを実行することにより、記録媒体に対する記録または再生を行う記録再生ステップとを含むことを特徴とする。
【００１６】
本発明のプログラムは、パラメータの情報を取得する取得ステップと、取得ステップの処理により取得されたパラメータの情報をパラメータ記憶手段に記憶させる記憶制御ステップと、パラメータ記憶手段に記憶されているパラメータの情報のうち、記録対象または再生対象の記録媒体に対応するパラメータの情報を読み出し、そのパラメータの情報に基づいて、記録再生プログラムを実行することにより、記録媒体に対する記録または再生を行う記録再生ステップとを含むことを特徴とする。
【００１７】
本発明においては、自分自身の記録または再生に関するパラメータの情報を取得し、そのパラメータの情報をパラメータ記憶手段に記憶させ、そのパラメータ記憶手段に記憶されているパラメータの情報のうち、記録対象または再生対象の記録媒体に対応するパラメータの情報を読み出し、そのパラメータの情報に基づいて、記録再生プログラムを実行することにより、記録媒体に対する記録または再生を行う。
【発明の効果】
【００１８】
本発明によれば、短時間で、例えば、新しい種類の記録媒体に対する記録または再生を可能にすることができる。
【発明を実施するための最良の形態】
【００１９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２１】
請求項１に記載の情報処理装置は、
自分自身の記録または再生に関するパラメータの情報が付加された記録媒体(例えば、図図３のディスク２７))に対する記録または再生を行う情報処理装置(例えば、図１のディスクカムコーダ１)において、
前記記録媒体に対する記録または再生を行うための記録再生プログラム（例えば、ファームウェア）を記憶するプログラム記憶手段(例えば、図５のドライブメモリ４７のファームウェア領域７１)と、
前記パラメータの情報を取得する取得手段(例えば、図３のカメラ１６)と、
前記取得手段により取得されたパラメータの情報をパラメータ記憶手段(例えば、図５のドライブメモリ４７のパラメータ情報管理領域７２)に記憶させる記憶制御手段(例えば、図８のステップＳ２３を実行する図４のマイコン４６)と、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生手段(例えば、図１２のステップＳ４３を実行する図４のマイコン４６、および図４の再生処理部４４または記録処理部５３)と
を備えることを特徴とする。
【００２２】
請求項２に記載の情報処理装置は、
前記パラメータの情報は、前記記録媒体のレーベル面、パッケージ、またはケース(例えば、図１のケース２)に付加される
ことを特徴とする。
【００２３】
請求項３に記載の情報処理装置は、
自分自身の記録または再生に関するパラメータの情報が付加された記録媒体(例えば、図３のディスク２７)に対する記録または再生を行うための記録再生プログラム(例えば、ファームウェア)を記憶するプログラム記憶手段(例えば、図５のドライブメモリ４７のファームウェア領域７１)を備える情報処理装置(例えば、図１のディスクカムコーダ１)の情報処理方法において、
前記パラメータの情報を取得する取得ステップ(例えば、図７のステップＳ３)と、
前記取得ステップの処理により取得されたパラメータの情報をパラメータ記憶手段(例えば、図５のドライブメモリ４７のパラメータ情報管理領域７２)に記憶させる記憶制御ステップ(例えば、図８のステップＳ２３)と、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生ステップ（例えば、図１２のステップＳ４３）と
を含むことを特徴とする。
【００２４】
請求項４に記載のプログラムは、
自分自身の記録または再生に関するパラメータの情報が付加された記録媒体(例えば、図３のディスク２７)に対する記録または再生を行うための記録再生プログラム(例えば、ファームウェア)を記憶するプログラム記憶手段（例えば、図５のドライブメモリ４７のファームウェア領域７１）を備える情報処理装置（例えば、図１のディスクカムコーダ１）を制御するコンピュータに行わせるプログラムにおいて、
前記パラメータの情報を取得する取得ステップ(例えば、図７のステップＳ３)と、
前記取得ステップの処理により取得されたパラメータの情報をパラメータ記憶手段（例えば、図５のドライブメモリ４７のパラメータ情報管理領域７２）に記憶させる記憶制御ステップ（例えば、図８のステップＳ２３）と、
前記パラメータ記憶手段に記憶されているパラメータの情報のうち、記録対象または再生対象の記録媒体に対応するパラメータの情報を読み出し、そのパラメータの情報に基づいて、前記記録再生プログラムを実行することにより、前記記録媒体に対する記録または再生を行う記録再生ステップ（例えば、図１２のステップＳ４３）と
を含むことを特徴とする。
【００２５】
以下、本発明を適用した具体的な実施の形態について、図面を参照しながら詳細に説明する。
【００２６】
図１は、本発明を適用したディスクカムコーダの外観構成例を示している。
【００２７】
ユーザは、例えば、図１のディスクカムコーダ１が記録または再生することができない新しい種類のディスクに対する記録または再生を行う場合、図１のディスクカムコーダ１を用いて、ディスクが収納されたケース２の表面に付加された２次元コード２Ａを撮影する。２次元コード２Ａは、例えば、図２に示すように、２次元コード２Ａの傾きを検出するための位置検出パターン３、２次元コード２Ａ内のモジュール座標を決定するためのタイミングパターン４、２次元コード２Ａで用いられる誤り訂正率とマスクパターンに関する情報を表すフォーマット情報５、および所定の情報を表すデータ部６から構成される。
【００２８】
なお、２次元コード２Ａのデータ部６は、ライトストラテジやサーボを調整するための調整値などの、ケース２に収納されたディスクの記録または再生に関するパラメータの情報を表している。このパラメータの情報は、ディスクの製造元および種類に固有のパラメータであり、パラメータの情報には、対応するディスクの製造元および種類に固有のＩＤ（以下、ディスクＩＤという）が付加されている。
【００２９】
ここで、パラメータの情報は、ある基準となるドライブに対して決定されている。基準となるドライブから派生したドライブには、基準となるドライブに対するパラメータのオフセット値が、予め設定されている。これにより、異なるドライブ間で同一のパラメータの情報を用いるための互換性を保つことができる。
【００３０】
図３は、図１のディスクカムコーダ１の構成例を示している。
【００３１】
図３のディスクカムコーダ１は、ビデオカメラ部１０、ドライブ２６、および蓋２８から構成され、ビデオカメラ部１０により取得される画像や音声を、ドライブ２６に装着されたディスク２７に記録したり、ディスク２７に記録されている音声や画像を再生して出力する。
【００３２】
ビデオカメラ部１０は、ユーザI/F１１、システム制御部１２、プログラムメモリ１３、ビデオオーディオI/F１５、カメラ１６、マイクロフォン１７、スピーカ１８、表示部１９、スクリーンメモリ２０、エンコード/デコード部２１、エンコード/デコードメモリ２２、データ制御部２３、データメモリ２４、およびドライブ制御部２５から構成される。
【００３３】
ユーザI/F（Interface）１１は、ユーザによる操作キー、入力ボタン、およびスイッチなどからなる操作部(不図示)の操作を受け付け、その操作を表す操作信号をシステム制御部１２に供給する。例えば、ユーザI/F１１は、動作モード（動作状態）を、被写体を動画像として撮影する動画撮影モード、被写体を静止画像として撮影する静止画撮影モード、動画像を再生する動画再生モード、または静止画像を再生する静止画撮影モードに切り替えるための切替スイッチの操作を受け付け、その操作に対応する動作モードを、動画撮影モード、静止画撮影モード、動画再生モード、または静止画撮影モードに切り替えるための操作信号を、システム制御部１２に供給する。また、ユーザI/F１１は、システム制御部１２の制御により、例えば、図示せぬ発光素子や音響素子を制御し、ユーザにディスクカムコーダ１の状態を知らせるための光や音を発生させる。
【００３４】
システム制御部１２は、プログラムメモリ１３に接続され、プログラムメモリ１３に記憶されているプログラムを実行することにより、各部を制御する。システム制御部１２はまた、バス１４を介して、ビデオオーディオI/F１５、エンコード/デコード部２１、データ制御部２３、およびドライブ制御部２５に接続されている。
【００３５】
プログラムメモリ１３は、各種のプログラムや各種の処理に必要なデータを記憶する。プログラムメモリ１３は、例えば、ファイルシステムを記憶する。
【００３６】
ビデオオーディオI/F１５は、カメラ１６から供給される画像データ（ビデオデータ）、またはマイクロフォン１７から供給される音声データ（オーディオデータ）を取得し、所定の処理を行う。例えば、ビデオオーディオI/F１５は、カメラ１６から供給される２次元コード２Ａ（図１）を含む静止画像の画像データから、２次元コード２Ａの画像データを抽出する。そして、ビデオオーディオI/F１５は、２次元コード２Ａの画像データから、２次元コード２Ａのデータ部６が表すパラメータの情報を認識し、バス１４を介して、データ制御部２３に供給する。また、ビデオオーディオI/F１５は、２次元コード２Ａの画像を含む静止画像の画像データ以外の画像データと音声データを、エンコード/デコード部２１に供給する。
【００３７】
ビデオオーディオI/F１５は、マイクロフォン１７またはエンコード/デコード部２１からの音声データを、スピーカ１８に出力し、カメラ１６またはエンコード/デコード部２１からの画像データを、表示部１９に出力する。
【００３８】
また、ビデオオーディオI/F１５は、必要に応じて、スクリーンメモリ２０に記憶されているアイコンなどの文字や図形を表示させるためのデータを読み出し、そのデータに基づいて所定の演算を行う。そして、ビデオオーディオI/F１５は、その演算の結果得られるアイコンなどの文字や図形の画像データを、表示部１９に出力する。
【００３９】
カメラ１６は、被写体を動画像または静止画像として撮影し、その結果得られる画像のアナログ信号である画像信号に対して、A/D変換を行う。カメラ１６は、A/D処理後のデジタルデータを、画像データとして、ビデオオーディオI/F１５に供給する。例えば、カメラ１６は、図１の２次元コード２Ａを含む被写体を静止画像として撮影し、その２次元コード２Ａの画像を含む静止画像の画像データを、ビデオオーディオI/F１５に供給する。
【００４０】
マイクロフォン１７は、カメラ１６が撮影した時点のディスクカムコーダ１の周囲の音声を取得し、その取得した音声のデジタルデータを音声データとして、ビデオオーディオI/F１５に供給する。
【００４１】
スピーカ１８は、ビデオオーディオI/F１５からの音声データに対応する音声を発生する。表示部１９は、LCD(Liquid Crystal Display)やEVF（Electronic View Finder）などにより構成され、ビデオオーディオI/F１５からの画像データに対応する画像を表示する。
【００４２】
スクリーンメモリ２０は、アイコンなどの文字や図形を表示するためのデータを記憶する。なお、ディスクカムコーダ１には、スクリーンメモリ２０が設けられないようにしてもよい。
【００４３】
エンコード/デコード部２１は、ビデオオーディオI/F１５からの画像データと音声データを、エンコード/デコードメモリ２２に記憶させながら、MPEG-1(Moving Picture Experts Group phase 1)、MPEG-2(Moving Picture Experts Group phase 2)、MPEG-4(Moving Picture Experts Group phase 4)などの方式でエンコードし、エンコード後の画像データと音声データを、データ制御部２３に供給する。また、データ制御部２３からの画像データと音声データをデコードし、その画像データと音声データをビデオオーディオI/F１５に供給する。
【００４４】
エンコード/デコードメモリ２２は、例えば、フレーム間またはフィールド間の画像データの差分を記憶する。
【００４５】
データ制御部２３は、FIFO（First In First Out）の方式で、データメモリ２４に記憶されているデータを管理する。具体的には、データ制御部２３は、エンコード/デコード部２１またはドライブ制御部２５からの画像データと音声データを、データメモリ２４に供給して記憶させたり、データメモリ２４に記憶されている最も古い画像データと音声データを読み出し、エンコード/デコード部２１またはドライブ制御部２５に供給する。
【００４６】
また、データ制御部２３は、システム制御部１２の制御により、ビデオオーディオI/F１５からバス１４を介して供給されるパラメータの情報を、データメモリ２４に供給して記憶させたり、データメモリ２４に記憶されているパラメータの情報を読み出し、ドライブ制御部２５に供給する。
【００４７】
データメモリ２４は、データ制御部２３から供給される画像データと音声データ、並びにパラメータの情報を一時的に記憶する。
【００４８】
ドライブ制御部２５は、ドライブ２６と、ATA（AT Attachment）やATAPI（AT Attachment Packet Interface）の規格にしたがって、非連続なハンドシェークを行い、データ制御部２３からの画像データと音声データを、ドライブ２６に供給(転送)したり、ドライブ２６に装着されたディスク２７から再生された画像データと音声データを受信する。ドライブ制御部２５は、ドライブ２６から受信した画像データと音声データを、データ制御部２３に供給する。また、ドライブ制御部２５は、システム制御部１２の制御により、データ制御部２３からのパラメータの情報を、ドライブ２６に供給する。また、ドライブ制御部２５は、システム制御部１２の制御により、各種のコマンドをドライブ２６に供給する。
【００４９】
なお、以下では、ドライブ制御部２５とドライブ２６は、ATAやATAPIの規格にしたがって通信を行うものとするが、ATAやATAPIではなく、例えば、SCSI（Small Computer System Interface），USB（Universal Serial Bus），IEEE(Institute of Electrical and Electronics Engineers)1394などの規格にしたがって通信を行うようにしてもよい。
【００５０】
ドライブ２６には、CD-R,CD-RW，MO，MD，DVD-R、およびDVD-RWなどからなるディスク２７が装着される。具体的には、ユーザは、蓋２８を開け、ディスク２７をドライブ２６に挿入することにより、ドライブ２６にディスク２７を装着する。また、ユーザは、蓋２８を開け、ディスク２７をドライブ２６から排出させることにより、ドライブ２６からディスク２７を着脱する。
【００５１】
図４は、図３のドライブ２６の詳細構成例を示している。
【００５２】
図４のドライブ２６は、スピンドルモータ４１、光ピックアップ４２、スレッド４３、再生処理部４４、サーボ制御部４５、マイコン（マイクロコンピュータ）４６、ドライブメモリ４７、メモリコントローラ４８、ホストI/F４９、情報メモリ５０、メモリコントローラ５１、キャッシュメモリ５２、および記録処理部５３から構成され、ドライブ制御部２５から供給される画像データと音声データを、ディスク２７に記録したり、ディスク２７から再生した画像データと音声データを、ドライブ制御部２５に供給する。
【００５３】
ユーザは、蓋２８を開け、ディスク２７をドライブ２６に挿入することにより、ドライブ２６に、ディスク２７を装着する。具体的には、ディスク２７は、図示せぬクランプ機構によってスピンドルモータ４１のシャフトに結合される。スピンドルモータ４１は、ディスク２７を回転駆動する。
【００５４】
ディスク２７のデータ記録面に対向する位置（図４中上部）には、光ピックアップ４２が配置される。光ピックアップ４２は、モータがギア等の駆動力伝達部材を介して接続されたスレッド４３に載置され、ディスク２７の径方向に移動する。光ピックアップ４２は、記録処理部５３からの記録データに基づいて、レーザ光の出力を制御し、ディスク２７に記録データを記録する。光ピックアップ４２はまた、ディスク２７にレーザ光を集光して照射（出力）し、その照射したレーザ光がディスク２７で反射されることにより得られる反射光を受光することにより、ディスク２７のデータ記録面から、ディスク２７に記録されているデータを読み出す（再生する）。光ピックアップ４２は、受光した反射光を、再生処理部４４に供給する。
【００５５】
再生処理部４４は、光ピックアップ４２からの反射光に対して、光電変換等を行い、ＲＦ（Radio Frequency）信号を取得するＲＦ信号処理を行う。再生処理部４４は、ＲＦ信号より得られるサーボ信号を、サーボ制御部４５に供給する。
【００５６】
また、再生処理部４４は、ＲＦ信号より得られる再生信号を２値化する。そして、再生処理部４４が内蔵する図示せぬPLL（Phase Locked Loop）回路は、２値化処理後の再生信号（以下、再生データという）に同期したクロックを発生する。再生処理部４４は、そのクロックに同期して、再生データに対してEFM（Eight to Fourteen Modulation）復調（デコード）を行い、EFM復調後の再生データを、メモリコントローラ４８に供給する。
【００５７】
サーボ制御部４５は、マイコン４６の制御により、再生処理部４４からのサーボ信号に基づいて、スピンドルモータ４１とスレッド４３のモータを駆動し、光ピックアップ４２のフォーカスやトラッキングを制御する。
【００５８】
マイコン４６は、ドライブメモリ４７に記憶されている、ディスク２７に対する記録または再生を行うためのプログラムであるファームウェアを実行することにより、ホストI/F４９から供給されるコマンドにしたがって、各部を制御する。例えば、マイコン４６は、メモリコントローラ５１からのパラメータの情報をドライブメモリ４７に供給し、記憶させる。また、マイコン４６は、ドライブメモリ４７に記憶されているパラメータの情報に基づいて、サーボ制御部４５および記録処理部５３を制御する。
【００５９】
ドライブメモリ４７は、不揮発性メモリから構成され、ファームウェアやパラメータの情報などを記憶する。
【００６０】
メモリコントローラ４８は、マイコン４６の制御により、再生処理部４４からの再生データをキャッシュメモリ５２に記憶させたり、キャッシュメモリ５２に記憶されている再生データを読み出す。メモリコントローラ４８は、読み出した再生データをホストI/F４９に供給する。
【００６１】
ホストI/F４９は、マイコン４６の制御により、ATAやATAPIなどの規格にしたがって、メモリコントローラ４８から供給される再生データを、図３のドライブ制御部２５に送信する。
【００６２】
なお、メモリコントローラ４８は、再生データをマイコン４６に供給し、マイコン４６が、メモリコントローラ４８からの再生データに、所定の処理を施し、その所定の処理後の再生データを、ホストI/F４９を介してドライブ制御部２５に送信するようにしてもよい。この場合、マイコン４６は、メモリコントローラ４８からの再生データに対して何らの処理も施さずに、そのままホストI/F４９を介してドライブ制御部２５に送信してもよい。
【００６３】
ホストI/F４９は、マイコン４６の制御により、ドライブ制御部２５から供給される画像データと音声データ、パラメータの情報、またはコマンドを取得する。ホストI/F４９は、その画像データと音声データ、またはパラメータの情報を、メモリコントローラ５１に供給する。また、ホストI/F４９は、取得したコマンドを情報メモリ５０に供給し、記憶させたり、情報メモリ５０に記憶されているコマンドを読み出し、マイコン４６に供給する。
【００６４】
情報メモリ５０は、ホストI/F４９からのコマンド（ATA/ATAPIパケット化されたコマンドのデータ）を記憶する。メモリコントローラ５１は、マイコン４６の制御により、ホストI/F４９からの画像データと音声データを、記録データとしてキャッシュメモリ５２に記憶させたり、ホストI/F４９からのパラメータの情報を、キャッシュメモリ５２に記憶させる。また、メモリコントローラ５１は、キャッシュメモリ５２に記憶されている記録データを読み出し、記録処理部５３に供給する。さらに、メモリコントローラ５１は、キャッシュメモリ５２に記憶されているパラメータの情報を読み出し、マイコン４６に供給する。
【００６５】
記録処理部５３は、マイコン４６の制御により、メモリコントローラ５１からの記録データを変調して、光ピックアップ４２に供給する。
【００６６】
図５は、図４のドライブメモリ４７の詳細構成例を示している。
【００６７】
図５に示すように、ドライブメモリ４７は、BANK＃０とBANK＃１から構成されている。BANK＃０は、ファームウェア領域７１となっており、BANK＃１はパラメータ情報管理領域７２となっている。ここで、ファームウェア領域７１とパラメータ管理領域７２のうち、いずれか一方に記憶されているデータが消去された場合においても、他方のデータに記憶されているデータは消去されない。また、ファームウェア領域７１とパラメータ管理領域７２においては、データの追加、削除、並べ替え、および上書きが可能となっている。
【００６８】
ファームウェア領域７１には、ファームウェアが記憶される。パラメータ情報管理領域７２には、ドライブ制御部２５（図３）からホストI/F４９（図４）、メモリコントローラ５１、およびマイコン４６を介して供給されるパラメータの情報と、そのパラメータの情報に付加されているディスクＩＤが対応付けて記憶される。なお、以下では、値が「ｉ」のディスクＩＤを、ディスクＩＤ＃ｉと表す。また、パラメータ情報管理領域７２には、パラメータ情報管理領域７２に記憶されているパラメータの情報に対応するディスクＩＤの数が記憶される。
【００６９】
例えば、図５では、パラメータ情報管理領域７２には、ディスクＩＤ＃０乃至＃３それぞれに対応付けて、パラメータの情報が記憶されている。また、パラメータ情報管理領域７２には、記憶されているパラメータの情報に対応するディスクＩＤの数（ディスクＩＤ数）である「４」が記憶されている。
【００７０】
ここで、図３のカメラ１６が、データ部６がディスクＩＤ＃４が付加されたパラメータの情報を表す２次元コード２Ａを静止画像として撮影した場合、ビデオオーディオI/F１５には、その２次元コード２Ａの画像を含む静止画像の画像データが供給される。ビデオオーディオI/F１５は、カメラ１６からの画像データから、２次元コード２Ａの画像の画像データを抽出し、ディスクＩＤ＃４が付加されたパラメータの情報を認識する。そして、ビデオオーディオI/F１５は、そのパラメータの情報を、バス１４を介して、データ制御部２３に供給する。
【００７１】
データ制御部２３は、図６に示すように、ビデオオーディオI/F１５からのディスクＩＤ＃４が付加されたパラメータの情報をデータメモリ２４に記憶させる。データ制御部２３は、システム制御部１２の制御により、データメモリ２４からパラメータの情報を読み出し、ドライブ制御部２５を介して、ドライブ２６（のホストI/F４９）に供給する。
【００７２】
ドライブ２６のホストI/F４９は、ドライブ制御部２５から供給されるパラメータの情報を、メモリコントローラ５１を介して、キャッシュメモリ５２に記憶させる。そして、メモリコントローラ５１は、マイコン４６の制御により、キャッシュメモリ５２に記憶されているパラメータの情報を読み出し、マイコン４６に供給する。マイコン４６は、図６に示すように、メモリコントローラ５１から供給されるパラメータの情報を、そのパラメータの情報に付加されているディスクＩＤ＃４に対応付けて、ドライブメモリ４７のパラメータ情報管理領域７２に記憶させる。
【００７３】
また、マイコン４６は、図６に示すように、パラメータ情報管理領域７２に記憶されているディスクＩＤ数を、図５に示した「４」から１だけインクリメントした「５」に変更する。
【００７４】
次に、図７を参照して、図３のディスクカムコーダ１のディスクカムコーダ部１０がドライブ２６にパラメータの情報を送信するパラメータの情報送信処理を説明する。このパラメータの情報送信処理は、例えば、ユーザが、図示せぬ操作部の切替スイッチを操作し、動作モードを動画撮影モードに切り替えたとき、開始される。
【００７５】
ステップＳ１において、カメラ１６は、被写体を動画像として撮影し、その結果、被写体の動画像（の画像データ）を取得する。具体的には、ユーザI/F１１は、ユーザによる切替スイッチの操作を受け付け、その操作に対応する動作モードの動画撮影モードへの切替を表す操作信号をシステム制御部１２に供給する。システム制御部１２は、ユーザI/F１１からの操作信号に応じて、カメラ１６を制御し、被写体を動画像として撮影し、被写体の動画像を取得する。カメラ１６は、取得した動画像の画像データを、ビデオオーディオI/F１５に供給し、ビデオオーディオI/F１５は、その画像データに基づいて、動画像を表示部１９に表示させる。
【００７６】
ここで、ユーザは、例えば、まだ自分自身の記録または再生に関するパラメータの情報がドライブ２６に記憶されていない新しい種類のディスク２７に対する記録または再生を行うために、２次元コード２Ａを撮影する場合、ステップＳ１で表示部１９に表示された動画像を見ながら、表示部１９に表示される動画像の所望の位置に、２次元コード２Ａが収まるように、ディスクカムコーダ１（のカメラ１６）を移動させる。そして、ユーザは、操作部の切替スイッチを操作して、動作モードの静止画撮影モードへの切替を指令し、その後、２次元コード２Ａの撮影を指令するための操作部のコードスイッチを操作する。なお、ユーザは、切替スイッチを操作せずに、コードスイッチのみを操作してもよい。
【００７７】
ユーザI/F１１は、ユーザによる操作部のコードスイッチの操作を受け付け、その操作に対応する２次元コード２Ａの撮影の指令を表す操作信号を、システム制御部１２に供給する。
【００７８】
ステップＳ１の処理後は、ステップＳ２に進み、システム制御部１２は、ユーザから２次元コード２Ａの撮影が指令されたかどうか、即ちユーザI/F１１から２次元コード２Ａの撮影の指令を表す操作信号が供給されたかどうかを判定する。
【００７９】
ステップＳ２において、２次元コード２Ａの撮影が指令されていないと判定された場合、ステップＳ１に戻り、上述した処理を繰り返す。
【００８０】
一方、ステップＳ２において、２次元コード２Ａの撮影が指令されたと判定された場合、ステップＳ３に進み、カメラ１６は、システム制御部１２の制御により、被写体を静止画像として撮影し、その結果、静止画像（の画像データ）を取得する。そして、カメラ１６は、その静止画像をビデオオーディオI/F１５に供給する。
【００８１】
ステップＳ３の処理後は、ステップＳ４に進み、ビデオオーディオI/F１５は、ステップＳ２でカメラ１６から供給される静止画像から、２次元コード２Ａの画像を抽出し、ステップＳ５に進む。
【００８２】
ステップＳ５において、ビデオオーディオI/F１５は、２次元コード２Ａの画像のうちの、位置検出パターン３（図２）、タイミングパターン４、およびフォーマット情報５（の画像）に基づいて、データ部６に表わされているディスクＩＤが付加されたパラメータの情報を認識する。
【００８３】
ステップＳ５の処理後は、ステップＳ６に進み、ビデオオーディオI/F１５は、パラメータの情報が正常に認識されたかどうかを判定し、パラメータの情報が正常に認識されていないと判定された場合、ステップＳ３に戻り、上述した処理を繰り返す。
【００８４】
また、ステップＳ６において、パラメータの情報が正常に認識されたと判定された場合、
ビデオオーディオI/F１５は、パラメータの情報を、バス１４を介してデータ制御部２３に供給し、ステップＳ７に進む。
【００８５】
ステップＳ７において、データ制御部２３は、ステップＳ６でビデオオーディオI/F１５から供給されるパラメータの情報を、データメモリ２４に記憶させ、ステップＳ８に進む。
【００８６】
ステップＳ８において、データ制御部２３は、データメモリ２４からパラメータの情報を読み出し、そのパラメータの情報を、例えばATA/ATAPIパケット化して、ドライブ制御部２５に供給する。
【００８７】
ステップＳ８の処理後は、ステップＳ９に進み、ドライブ制御部２５は、ドライブ２６に、パケット化したパラメータの情報を送信し、処理を終了する。
【００８８】
次に、図８を参照して、ドライブ２６が図７のステップＳ９でドライブ制御部２５から送信されるパラメータの情報を記憶するパラメータの情報記憶処理を説明する。
【００８９】
ステップＳ２１において、ホストI/F４９は、図７のステップＳ９でドライブ制御部２５から送信されてくるパラメータの情報を受信し、そのパラメータの情報を、メモリコントローラ５１に供給する。
【００９０】
ステップＳ２１の処理後は、ステップＳ２２に進み、メモリコントローラ５１は、ステップＳ２１でホストI/F４９から供給されるパラメータの情報を、キャッシュメモリ５２に格納し、ステップＳ２３に進む。
【００９１】
ステップＳ２３において、マイコン４６は、メモリコントローラ５１を介して、キャッシュメモリ５２に記憶されているパラメータの情報を読み出し、パラメータの情報と、それに付加されているディスクＩＤとに分解する。そして、マイコン４６は、パラメータの情報を、それに付加されているディスクＩＤに対応付けて、ドライブメモリ４７のパラメータ情報管理領域７２に格納する（記憶させる）。
【００９２】
ステップＳ２３の処理後は、ステップＳ２４に進み、マイコン４６は、ドライブメモリ４７のパラメータ情報管理領域７２に記憶されているディスクＩＤ数を、１だけインクリメントし、処理を終了する。
【００９３】
例えば、図５に示したように、パラメータ情報管理領域７２にディスクＩＤ＃０乃至３に対応するパラメータの情報が記憶されている場合、ドライブ制御部２４からディスクＩＤ＃４が付加されたパラメータの情報が送信されてくると、マイコン４６は、図６に示すように、そのパラメータの情報をディスクＩＤ＃４に対応付けて、パラメータ情報管理領域７２に記憶し、ディスクＩＤ数を「４」から「５」にインクリメントする。
【００９４】
なお、パラメータ情報管理領域７２に何も記憶されていない場合、パラメータ情報管理領域７２には、ディスクＩＤ数として「０」が記憶されているものとする。
【００９５】
以上のようにして、図１のディスクカムコーダ１では、ユーザが、ディスク２７のケース２に付加されている２次元コード２Ａを撮影するだけで、ドライブ２６は、そのディスク２７の記録または再生に関するパラメータの情報を短時間で容易に記憶することができる。その結果、例えば、短時間で容易に、新しい種類のディスク２７に対する記録または再生を可能にすることができる。
【００９６】
また、新しい種類のディスク２７とディスクカムコーダ１を用いるだけで、新しい種類のディスク２７に対する記録または再生を可能にすることができる。
【００９７】
次に、図９乃至図１２を参照して、ドライブ２６に装着された記録対象または再生対象のディスク２７の判別について説明する。
【００９８】
図９と図１０は、ディスク２７のフォーマットの例を示している。
【００９９】
なお、図９と図１０では、ディスク２７は、DVDであるものとする。
【０１００】
ディスク２７がDVD-RやDVD-RWである場合、図９の上段に示されるように、ディスク２７には、内周側から順に、ディスク２７を構成する領域の先頭を表す読出領域１１１、光ピックアップ４２から照射されるレーザ光のビームの強度をテストするためのビーム強度テスト領域１１２、記録開始アドレスなどの情報が記録される管理データ領域１１３、リードインエリア１１４、ファイルシステムの情報が記録されるファイルシステム情報領域１１５、ビデオデータやオーディオデータなどが記録されるデータ領域１１６、データ領域１１６の終端を表すリードアウトエリア１１７、ディスク２７を構成する領域の終端を表す終端領域１１８が設けられている。
【０１０１】
なお、ディスク２７がDVD-ROM（Digital Versatile Disk Read Only Memory)である場合、ディスク２７には、図９の中段に示すように、ビーム強度テスト領域１１２が設けられない。
【０１０２】
図９の下段に示すように、リードインエリア１１４には、内周側から、リファレンスコード領域１３１、バッファ領域１３２、コントロールデータ領域１３３、およびバッファ領域１３４が設けられている。リファレンスコード領域１３１には、再生処理部４４の処理を調整するためのパターンが記録される。
【０１０３】
コントロールデータ領域１３３には、図１０の上側に示すように、物理フォーマット情報が記憶される物理フォーマット情報領域１５１、およびディスクＩＤが記憶されるディスクＩＤ領域１５２領域などが設けられている。
【０１０４】
なお、物理フォーマット情報領域１５１には、図１０の下側に示すように、例えば、ディスク２７の規格を表すブックタイプ(BOOK TYPE)、ディスク２７のサイズ（DISK SIZE）、ディスク２７の層の数、およびリードアウトエリア１１７の終端の物理セクタ番号などが記憶される。
【０１０５】
次に、図１１を参照して、図４のドライブ２６が、自分自身に装着されたディスク２７を判別する処理について説明する。
【０１０６】
図４のドライブ２６では、マイコン４６が、サーボ制御部４５を制御し、ディスク２７から、ディスクＩＤ領域１５２（図１０）に記録されているディスクＩＤを再生する。その結果、マイコン４６には、光ピックアップ４２、再生処理部４４、およびメモリコントローラ４８を介して、再生データとして、ディスクＩＤが供給される。
【０１０７】
マイコン４６は、その再生されたディスクＩＤと、ドライブメモリ４７のパラメータ情報管理領域７２に記憶されているディスクＩＤとを比較し、再生されたディスクＩＤと同一のディスクＩＤに対応するパラメータの情報を読み出す。
【０１０８】
例えば、図１１に示すように、パラメータ情報管理領域７２に、ディスクＩＤ＃０乃至＃４に対応づけて、パラメータの情報が記憶されている場合、再生されたディスクＩＤが、ディスクＩＤ＃４であるとき、ディスクＩＤ＃４に対応するパラメータの情報が、パラメータ情報管理領域７２から読み出される。なお、図１１において、パラメータ情報管理領域７２に設けられているリザーブ領域は、まだディスクＩＤに対応付けてパラメータの情報が記憶されていない空き領域である。
【０１０９】
次に、図１２を参照して、ドライブ２６が記録対象または再生対象のディスク２７を判別するディスク判別処理を説明する。このディスク判別処理は、例えば、ユーザが、蓋２８を開け(開放し)、記録対象または再生対象となるディスク２７をドライブ２６に挿入することにより、ドライブ２６にディスク２７を装着したとき、開始される。
【０１１０】
ステップＳ４１において、マイコン４６は、サーボ制御部４５を制御し、ドライブ２６に装着されたディスク２７のディスクＩＤ領域１５２（図１０）に記憶されているディスクＩＤを再生する。その結果、マイコン４６には、光ピックアップ４２、再生処理部４４、およびメモリコントローラ４８を介して、再生データとして、ディスクＩＤが供給される。
【０１１１】
ステップＳ４１の処理後は、ステップＳ４２に進み、マイコン４６は、ドライブメモリ４７のパラメータ情報管理領域７２に記憶されているディスクＩＤと、ステップＳ４１でディスク２７から再生されたディスクＩＤとを比較する。
【０１１２】
ここで、パラメータ情報管理領域７２には、そこに記憶されているパラメータの情報に対応するディスクＩＤの数であるディスクＩＤ数が記憶されているので、マイコン４６は、パラメータ情報管理領域７２に記憶されているディスクＩＤの数を認識することができる。その結果、マイコン４６は、ディスクＩＤの数のディスクＩＤを読み出すことにより、図８のステップＳ２３で新たに記憶されたディスクＩＤも読み出すことができる。即ち、マイコン４６は、新たに記憶されたディスクＩＤも認識することができる。従って、マイコン４６に新たに記憶されたディスクＩＤを認識させるために、マイコン４６が実行するファームウェアを変更する必要がない。
【０１１３】
ステップＳ４２の処理後は、ステップＳ４３に進み、マイコン４６は、パラメータ情報管理領域７２に記憶されているディスクＩＤのうち、再生されたディスクＩＤと同一のディスクＩＤに対応するパラメータの情報を読み出す。即ち、マイコン４６は、ドライブ２６に装着されたディスク２７に対応するパラメータの情報を読み出す。そして、マイコン４６は、そのパラメータの情報に基づいて、ライトストラテジやサーボを調整するための調整値などを設定（更新）する。そして、マイコン４６は、設定したライトストラテジや調整値に基づいて、ファームウェア領域７１（図５）に記憶されているファームウェアを実行することにより、記録処理部５３またはサーボ制御部４５を制御する。これにより、ドライブ２６は、自分自身に装着されたディスク２７に対する記録や再生を行うことができる。
【０１１４】
なお、パラメータ情報管理領域７２に、再生されたディスクＩＤと同一のディスクＩＤが記憶されていない場合、マイコン４６は、ホストI/F４９を介してビデオカメラ部１０に、ディスク２７の判別エラーを表すコマンドを送信する。ビデオカメラ部１０では、そのコマンドに対応して、ドライブ２６に装着されたディスク２７に対する記録や再生を行うことができない旨を表すメッセージが表示部１９に表示される。
【０１１５】
ユーザは、表示部１９に表示されるメッセージを見ることにより、ディスクカムコーダ１で、ドライブ２６に装着されたディスク２７に対する記録や再生を行うことができないことを認識し、ディスク２７が収納されたケース２の２次元コード２Ａの撮影を行う。その結果、ドライブ２６のパラメータ情報管理領域７２に、２次元コード２Ａが表すディスク２７の記録または再生に関するパラメータの情報が記憶され、ドライブ２６において、ディスク２７に対する記録や再生を行うことが可能になる。
【０１１６】
以上のように、ドライブ２６は、例えば、新しい種類のディスク２７に対する記録または再生を行う場合においても、ファームウェアを更新せずに、ライトストラテジやサーボを調整するための調整値などのパラメータのみを設定(更新)することにより、ディスク２７に対する記録または再生を可能にするので、ファームウェアの更新が必要な場合に比べて、新しい種類のディスク２７に対する記録または再生を可能にするために要する時間を短縮することができる。また、ファームウェアを更新する必要がないので、ファームウェアの更新中に何らかのエラーが発生することにより、ファームウェアのデータを消失してしまうことを防止することができる。
【０１１７】
なお、上述した説明では、ディスクＩＤ領域１５２に記憶されているディスクＩＤにより、ディスク２７を判別（識別）するようにしたが、ディスク２７の物理層が有する光学的特性(例えば、反射率、Wobble周波数)に基づいて、サーボ制御部４５のサーボ調整と同期しながらディスク２７を判別するようにしてもよい。
【０１１８】
また、２次元コード２Ａのデータ部６が表すものは、パラメータの情報そのものではなく、パラメータの情報が暗号化されたものであってもよい。この場合、ビデオオーディオI/F１５は、２次元コード２Ａの画像から認識したデータ部６が表すデータを復号(解読)して、パラメータの情報を得る。
【０１１９】
本実施の形態では、ディスク２７が収納されたケース２に、２次元コード２Ａが付加されたが、ディスク２７のレーベル面やパッケージに印刷されるようにしてもよい。また、パラメータの情報を表すものは、２次元コード２Ａに限定されない。
【０１２０】
以上のように、ディスクカムコーダ１では、カメラ１によりパラメータの情報を表す２次元コード２Ａの画像を含む静止画像を取得し、その２次元コード２Ａが表すパラメータの情報をドライブメモリ４７のパラメータ情報管理領域７２に記憶させるようにしたので、短時間で、例えば、新しい種類の記録媒体に対する記録または再生を可能にすることができる。
【０１２１】
次に、上述した一連の処理は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１２２】
そこで、図１３は、上述した一連の処理を実行するプログラムがインストールされるコンピュータの一実施の形態の構成例を示している。
【０１２３】
プログラムは、コンピュータに内蔵されている記録媒体としての記憶部２０８やROM(Read Only Memory)２０２に予め記録しておくことができる。
【０１２４】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブルメディア２１３に、一時的あるいは永続的に格納（記録）しておくことができる。このようなリムーバブルメディア２１３は、いわゆるパッケージソフトウエアとして提供することができる。
【０１２５】
なお、プログラムは、上述したようなリムーバブルメディア２１３からコンピュータにインストールする他、ダウンロードサイトから、デジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部２０９で受信し、内蔵する記憶部２０８にインストールすることができる。
【０１２６】
コンピュータは、CPU(Central Processing Unit)２０１を内蔵している。CPU２０１には、バス２０４を介して、入出力インタフェース２０５が接続されており、CPU２０１は、入出力インタフェース２０５を介して、ユーザによって、キーボードや、マウス、マイクロフォン１７等で構成される入力部２０６が操作等されることにより指令が入力されると、それにしたがって、ROM２０２に格納されているプログラムを実行する。あるいは、また、CPU２０１は、記憶部２０８に格納されているプログラム、衛星若しくはネットワークから転送され、通信部２０９で受信されて記憶部２０８にインストールされたプログラム、またはドライブ２１２に装着されたリムーバブルメディア２１３から読み出されて記憶部２０８にインストールされたプログラムを、RAM２０３にロードして実行する。これにより、CPU２０１は、上述したフローチャートにしたがった処理、あるいは上述したブロック図の構成により行われる処理を行う。そして、CPU２０１は、その処理結果を、必要に応じて、例えば、入出力インタフェース２０５を介して、スピーカ１８や表示部１９等で構成される出力部２０７から出力、あるいは、通信部２０９から送信、さらには、記憶部２０８に記録等させる。
【０１２７】
また、撮影部２１０は、カメラ１６などに対応し、被写体を撮影して、画像を取得する。また、ドライブ２１１は、ドライブ２６に対応し、ディスク２７に対する記録または再生を行う。
【０１２８】
本発明は、例えば、DVDなどの画像記録用光ディスクを記録媒体として用いるビデオカメラに適用することができる。
【０１２９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１３０】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１３１】
【図１】本発明を適用したディスクカムコーダの外観構成例を示す図である
【図２】２次元コードの例を示す図である。
【図３】ディスクカムコーダの構成例を示す図である。
【図４】ドライブの詳細構成例を示す図である。
【図５】ドライブメモリの詳細構成例を示す図である。
【図６】新たなパラメータの情報の記憶を説明する図である。
【図７】パラメータの情報送信処理を説明するフローチャートである。
【図８】パラメータの情報記憶処理を説明するフローチャートである。
【図９】ディスクのフォーマットの例を示す図である。
【図１０】ディスクのフォーマットの例を示す図である。
【図１１】ディスクを判別する処理について説明する図である。
【図１２】ディスク判別処理を説明するフローチャートである。
【図１３】本発明を適用したコンピュータの一実施の形態の構成例を示すブロック図である。
【符号の説明】
【０１３２】
１  ディスクカムコーダ,  ２  ケース,  ２Ａ  ２次元コード,  １６  カメラ，  ２６  ドライブ，  ２７  ディスク，  ４４  再生処理部，  ４５  サーボ制御部，  ４６  マイコン，  ４７  ドライブメモリ，  ５３  記録処理部，  ７１  ファームウェア領域，  ７２  パラメータ情報管理領域
【図１】
2006228333.tif 000003
【図２】
2006228333.tif 000004
【図３】
2006228333.tif 000005
【図４】
2006228333.tif 000006
【図５】
2006228333.tif 000007
【図６】
2006228333.tif 000008
【図７】
2006228333.tif 000009
【図８】
2006228333.tif 000010
【図９】
2006228333.tif 000011
【図１０】
2006228333.tif 000012
【図１１】
2006228333.tif 000013
【図１２】
2006228333.tif 000014
【図１３】
2006228333.tif 000015